(57)【要約】【課題】ケースの組み付けが簡単で組み付け精度が確保された電子機器を提供する。【解決手段】外側ケース２には電子部品ユニット５０を機器本体１ａ内に収納するための空間２Ａが形成され、空間２Ａの開口部５は内側ケース３により閉じられている。内側ケース３は内側上ケース部３０と内側下ケース部３１とに分離形成され、各ケース部３０、３１の分離された一方の端縁３０ａ、３１ａがクッション部材４２を介して突き当てられている。内側上ケース部３０の他方の端縁には内側上ケースフランジ部３０Ａが形成され、外側下ケース部の他方の端縁には内側下ケースフランジ部３１Ａが形成されている。内側上ケースフランジ部３０Ａはシート状の第３防水性両面テープ４２を介して外側上ケースフランジ部２１Ａに貼り付けられ、内側下ケースフランジ部３１Ａはシート状の第４防水性両面テープ４３を介して外側下ケースフランジ部２２Ａに貼り付けられている。【選択図】  図７
2019169623.tif 000002
【特許請求の範囲】
【請求項１】
リング状の機器本体と、
前記機器本体内に収納された電子部品とを有し、
前記機器本体は、
内側に前記電子部品を収納するための空間が設けられたリング状の外側ケースと、
前記外側ケースの前記空間の開口部を閉じるよう前記外側ケースの内周に組み付けられたリング状の内側ケースとを有し、
前記内側ケースは上ケース部と下ケース部に分離形成され、前記各ケース部の分離された一方の端縁はリング状のクッション部材を介して突き当てて取り付けられるとともに、前記各ケース部の他方の端縁はリング状の接合部材を介して前記外側ケースに取り付けられていることを特徴とする電子機器。
【請求項２】
前記各ケース部の他方の端縁には前記各ケース部の軸方向に対して垂直な内側ケースフランジ部がそれぞれ形成されるとともに、前記外側ケースには前記各内側ケースフランジ部にリング状の接合部材を介して取り付けられる外側ケースフランジ部がそれぞれ形成されていることを特徴とする請求項１に記載の電子機器。
【請求項３】
前記クッション部材の弾性率は前記接合部材より弾性率が低いことを特徴とする請求項２に記載の電子機器。
【請求項４】
前記クッション部材と前記シート状の接合部材は防水性材料により形成されていることを特徴とする請求項２又は請求項３に記載の電子機器。
【請求項５】
前記内側ケースの内周には指等の装着部が形成されていることを特徴とする請求項１乃至請求項４のいずれかに記載の電子機器。
【発明の詳細な説明】
【技術分野】
【０００１】
本発明は、リング状のケースに電子部品が組み込まれた電子機器に関し、特に指等に装着して使用する携帯型電子機器に有用な電子機器に関するものである。
【背景技術】
【０００２】
近年、携帯型電子機器が数多く提案されており、機器の小型化が図られている。電子機器の小型化に伴い、電子機器内への電子部品の実装密度も高く、組立作業が煩雑となっている。また、携帯型電子機器は色々な環境下で使用されるために、防水性を備えることが必須となっている。
【０００３】
特許文献１には携帯型電子機器の防水性を確保した一般的な技術が開示されている。この技術は金属蓋体と樹脂ケースとの間に防水性弾性体（パッキン）を介在させ、金属蓋体の係合孔に樹脂ケースの係合爪を嵌合させることにより、樹脂ケースを金属蓋体に取り付ける構造となっている。
【０００４】
このような構成によれば、金属蓋体と樹脂ケースを組み付ける場合、金属蓋体と樹脂ケースに加工時の寸法誤差があっても、その寸法誤差をパッキンの弾性で吸収することができる。従って、金属蓋体と樹脂ケースとの間に隙間を生じさせるようなことはなく、所定の位置に簡単に組み付けることができる。
【先行技術文献】
【特許文献】
【０００５】
【特許文献１】特開２０１３−０８９６６１号公報
【発明の概要】
【発明が解決しようとする課題】
【０００６】
ところで、電子機器のケースが三つのケース部材に分離され、これらケース部材がパッキンを介して突き当てられ組み付けられるような構造のものにおいては、特許文献１に開示されている組み付け構造を利用しても不都合が生じる。
三つのケース部材からなるケースを備えた電子機器においては、各ケース部材の寸法は予め接合部分に取り付けられるパッキンの厚みを考慮して設計される。しかしながら、各ケース部材の寸法誤差が積み重なると、パッキンとケース部材間に隙間が発生する場合がある。
【０００７】
そこで、弾性率の低いパッキンを使用し、各ケース部材間に隙間が発生しないように各ケース部材を組み付ける方法が考えられる。しかしながら、このような構成によれば、各ケース部材の組み付けを簡単に行えるが、パッキンの弾性率が低くなることにより、各ケース部材間でぐらつきが発生し、各ケース部材の組み付け精度が悪くなる。
【０００８】
本発明は上述した従来の課題に鑑みてなされたものであり、ケースの組み付けを簡単に行えるとともにケースの組み付け精度が確保された電子機器を提供することを目的とする。
【課題を解決するための手段】
【０００９】
上述した従来の課題を解決し、上述した目的を達成するため、本発明の電子機器は、リング状の機器本体と、前記機器本体内に収納された電子部品とを有し、前記機器本体は、内側に前記電子部品を収納するための空間が設けられたリング状の外側ケースと、前記外側ケースの前記空間の開口部を閉じるよう前記外側ケースの内周に組み付けられたリング状の内側ケースとを有し、前記内側ケースは上ケース部と下ケース部に分離形成され、前記各ケース部の分離された一方の端縁はリング状のクッション部材を介して突き当てて取り付けられるとともに、前記各ケース部の他方の端縁はリング状の接合部材を介して前記外側ケースに取り付けられていることを特徴とする。
【００１０】
この構成によれば、ケースの組み付けを簡単に行えるとともに、ケースの安定した組み付け精度を確保することができる。
【００１１】
好適には、前記各ケース部の他方の端縁には前記各ケース部の軸方向に対して垂直な内側ケースフランジ部がそれぞれ形成されるとともに、前記外側ケースには前記各内側ケースフランジ部にリング状の接合部材を介して取り付けられる外側ケースフランジ部がそれぞれ形成されていることを特徴とする。
この構成によれば、内側ケースを外側ケースの軸方向から組み付けることができるので、組立を簡単に行うことができる。また、内側ケースと外側ケースを面で接合できるので、その接合状態は安定したものとなる。
【００１２】
好適には、前記クッション部材の弾性率は前記接合部材より弾性率が低いことを特徴とする。
この構成によれば、内側ケースと外側ケースに寸法誤差があった場合、その寸法誤差をクッション部材のみで吸収することができ、ケースの安定した組み付け精度を確保することができる。
【００１３】
好適には、前記クッション部材と前記シート状の接合部材は防水性材料により形成されていることを特徴とする。
この構成によれば、ケースの防水性を確保できる。
【００１４】
好適には、前記内側ケースの内周には指等の装着部が形成されていることを特徴とする。
この構成によれば、電子機器を指等に装着して使用できる。
【発明の効果】
【００１５】
本発明によれば、ケースの組み付けを簡単に行えるとともに組み付け精度が良い電子機器を提供することができる。
【図面の簡単な説明】
【００１６】
【図１】本発明の実施形態に係る電子機器を指に装着した状態を示す斜視図である。
【図２】電子機器の正面図である。
【図３】電子機器の側面図である。
【図４】電子機器の分解斜視図である。
【図５】電子機器の内部構造を示す正面図である。
【図６】電子機器の内部構造を示す斜視図である。
【図７】図２のＡ−Ａ拡大断面図である。
【図８】電子機器の組み立て工程を説明するための一部拡大断面図であり、電子部品ユニットを外側ケース内に組み付けた状態を示す図である。
【図９】電子機器の組立工程を説明するための一部拡大断面図であり、外側ケースを組み立てる中途の状態を示す図である。
【図１０】電子機器の組立工程を説明するための一部拡大断面図であり、外側ケースの組み立てる中途の状態を示す図である。
【図１１】電子機器の組立工程を説明するための一部拡大断面図であり、外側ケースを組み立てた状態を示す図である。
【発明を実施するための形態】
【００１７】
以下、本発明の実施形態に係る電子機器について、図面を参照しながら説明する。
図１は電子機器１を指１００に装着した状態を示す斜視図であり、図２は電子機器１の正面図であり、図３は電子機器１の側面図である。
電子機器１は、例えば人差し指１００に装着して使用される携帯型の電子機器である。電子機器１は、後述する電子部品ユニット５０を収納するリング状の機器本体１ａを有する。機器本体１ａは、リング状の外側ケース２と、外側ケース２の内周に組み付けられたチタン材料からなるリング状の内側ケース３を有する。内側ケース３の内周には、人差し指１００を装着するために円形状の装着部４が形成されている。なお、本発明は、複数の電子部品を組み合わせた電子部品ユニット５０を収納するものに限らず、単品の電子部品が収納されるものにも適用可能である。
【００１８】
電子機器１は、人差し指１００に装着した状態で、例えば親指等を外側ケース２の外周面に押し付けたり摺動させたりすることにより、機器本体１ａ内に収納されている電子部品ユニット５０の各部品を駆動させる構造となっている。電子機器１は、例えばテレビ、ビデオレコーダ等の機器を遠隔操作するリモートコントロール装置として使用される。
【００１９】
図４〜図７に従い、電気機器１の具体的な構成及び作用について説明する。図４は、電子機器１の内部構成を説明するための分解斜視図である。図５は、電子機器１の内部構成を説明するための正面図である。図６は、電子機器１の内部構成を説明するための斜視図である。図７は、図２のＡ−Ａ線拡大断面図である。
【００２０】
機器本体１の外側ケース２の内側には、電子部品ユニット５０を機器本体１ａ内に収納するための空間２Ａ（図１０，図１１）が設けられている。空間２Ａは、リング状の外側ケース２の内周側において窪んだ空間である。空間２Ａの開口部５は、リング状の内側ケース３により塞がれている。
外側ケース２は、半透明材料からなるリング状の外側中ケース部２０と、外側中ケース部２０の上端縁にシート状の第１防水性両面テープ４０を介して取り付けられたリング状の外側上ケース部２１と、外側中ケース部２０の下端縁にシート状の第２防水性両面テープ４１を介して取り付けられたリング状の外側下ケース部２２から構成されている。
【００２１】
外側上ケース部２１の内周には、外側上ケース部２１の軸方向（図７中矢印Ｙ方向）に対して垂直となる内径方向（図７中矢印Ｘ１方向）に張り出すように外側上ケースフランジ部２１Ａが形成されている。また、外側下ケース部２２の内周にも、外側下ケース部２２の軸方向（図７中矢印Ｙ方向）に対して垂直となる内径方向（図７中矢印Ｘ１方向）に張り出すように外側下ケースフランジ部２２Ａが形成されている。
【００２２】
内側ケース３は、外側ケース２の空間２Ａの開口部５を閉じるよう外側ケース２に組み付けられている。内側ケース３は、内側上ケース部３０と内側下ケース部３１に分離形成され、各ケース部３０、３１の分離された一方の端縁３０ａ、３１ａは、図４及び図７に示すように、リング状のクッション部材４４を介して突き当てられ取り付けられている。なお、各ケース部３０、３１の一方の端縁３０ａ、３１ａの突き当て部分は、指１００が装着される装着部４の中に位置する状態になる。
【００２３】
内側上ケース部３０の他方の端縁には、内側上ケース部３０の軸方向（図７中矢印Ｙ方向）に対して垂直となる外径方向（図７中矢印Ｘ２方向）に張り出すように内側上ケースフランジ部３０Ａが形成されている。また、外側下ケース部の他方の端縁にも、外側下ケース部３１の軸方向（図７中矢印Ｙ方向）に対して垂直となる方向（図７中矢印Ｘ２方向）に張り出すように内側下ケースフランジ部３１Ａが形成されている。
内側上ケースフランジ部３０Ａは、シート状の第３防水性両面テープ４２を介して外側上ケースフランジ部２１Ａの水平面に貼り付け固定されている。また、内側下ケースフランジ部３１Ａは、シート状の第４防水性両面テープ４３により外側下ケースフランジ部２２Ａの水平面に貼り付け固定されている。
【００２４】
電子部品ユニット５０は、入力操作部５１と、表示部５２と、通信部５３と、振動付与部５４と、制御部５５と、バッテリー部５６を有している。
入力操作部５１は、例えば静電容量式タッチセンサからなり、電子機器ユニット１へ操作情報を入力し、電子機器ユニット１を動作させるためのものである。
表示部５２は、遠隔操作する機器（例えばテレビ、ビデオレコーダ等）の操作情報、または電子機器ユニット１の電源のＯＮ状態等の操作情報を表示するためのものであり、ＬＥＤにより情報が表示されるようになっている。表示部５２の操作情報は、半透明材料により形成された外側ケース２を介して外部より目視できるようになっている。
通信部５３は、入力操作部５１にて入力された操作情報に基づき、例えばテレビ、ビデオレコーダ等の機器を遠隔操作する信号を機器に送信するためのものである。
振動付与部５４は、入力操作部５１を操作したときに指等に振動を付与するためのものである。
制御部５５は、入力操作部５１、表示部５２、通信部５３及び振動付与部５４に対する信号の入出力を制御するためのものである。
バッテリー部５６は、入力操作部５１、表示部５２、通信部５３、振動付与部５４及び制御部５５の駆動電源となっている。
【００２５】
このように構成された電子部品ユニット５０は、外側ケース２の内側の空間２Ａ内に収納される。入力操作部５１、表示部５２、通信部５３、振動付与部５４、制御部５５及びバッテリー部５６は、両面テープ等により外側中ケース部２０の内壁の所定の位置に貼り付けられている。
【００２６】
外側ケース２内には振動付与部５４が配置されており、入力操作部５１は外側中ケース部２０の側壁に沿って振動付与部５４の隣に配置されている。
表示部５２は入力操作部５１の背面側に配置されており、入力操作部５１に開設した図示しない開口部を介してＬＥＤの光が外側ケース２の内壁側にあたるようになっている。そして、ＬＥＤの光は半透明な材料により形成された外側ケース２の外周面から出射し、外部より表示部５２の情報を目視できるようになっている。
通信部５３は、外側中ケース部２０の側壁に沿って振動付与部５４の隣に配置されている。
バッテリー部５６は円弧状に形成されており、外側ケース２の周方向の約１／３の領域を占めるように配置されている。
制御部５５は、入力操作部５１に隣接して配置されている。
【００２７】
入力操作部５１を構成するプリント回路基板部５１ａは、第１フレキシブルプリント配線基板部６１を介して制御部５５を構成するプリント回路基板５５ａと電気的に接続されている。第１フレキシブルプリント配線基板部６１の部分を折り曲げ、各プリント回路基板５１ａ、５５ａを重ね合わせることにより、入力操作部５１は制御部５５の背面側に位置する状態に配置されている。
通信部５３はプリント回路基板５３ａとアンテナ基板５３ｂを備え、プリント回路基板５３ａは第２フレキシブルプリント配線基板６２を介してアンテナ基板５３ｂと電気的に接続されている。
また、通信部５３のプリント回路基板５３ａは、第３フレキシブルプリント配線基板６３を介してバッテリー部５６を構成するバッテリー基板５６ａと電気的に接続されている。
制御部５５のプリント回路基板５５ａと通信部５３のプリント回路基板５３ａとの間は、第４フレキシブルプリント配線基板６４を介して電気的に接続されている。
【００２８】
なお、本発明の他の実施形態では、入力操作部５１、表示部５２、通信部５３、振動付与部５４、制御部５５及びバッテリー部５６を一枚のフレキシブルプリント配線基板上に搭載し、入力操作部５１、表示部５２、通信部５３、振動付与部５４、制御部５５及びバッテリー部５６を電気的に接続するように構成しても良い。
【００２９】
次に、図８〜図１１に従い、電子機器１の組立工程について詳細に説明する。図８は、外側ケース２内に電子部品ユニット５０を組み付けた状態を示す一部拡大断面図である。図９は、外側ケース２の外側中ケース部２０に第１防水性両面テープ４０及び第２防水性両面テープ４１を貼り付けた状態を示す一部拡大断面図である。図１０は、外側中ケース部２０に外側上ケース部２１と外側下ケース部２２を組み付けた状態を示す一部拡大断面図である。図１１は、外側上ケース部２１に第３防水性両面テープ４２を貼り付けるとともに、外側下ケース部２２に第４防水性両面テープ４３を貼り付けた状態を示す一部拡大断面図である。
【００３０】
先ず、図８に示すように、電子部品ユニット５０を外側中ケース２０内に収納し、外側中ケース２０の内周壁に両面テープ等を用いて貼り付け固定する。これにより、電子部品ユニット５０を機器本体１ａ内の所定の場所に位置決め固定する。
【００３１】
次に、図９に示すように、外側中ケース部２０の上端縁に設けた段差部２０ａの水平面に外側中ケース部２０の全周に亘るように第１防水性両面テープ４０を貼り付ける。また、外側中ケース部２０の下端縁に設けた段差部２０ｂの水平面にも、外側中ケース部２０の全周に亘るように第２防水性両面テープ４１を貼り付ける。
【００３２】
次に、図１０に示すように、外側上ケース部２１の外周縁に形成した段差部２１ａを外側中ケース部２０の段差部２０ａに嵌め合わせる。また、外側下ケース部２２の外周縁に形成した段差部２２ａを外側中ケース部２０の段差部２０ｂに嵌め合わせる。
【００３３】
このようにして組み立てられた外側ケース２は、外側中ケース部２０と外側上ケース部２１が段差部２０ａ、２１ａで嵌め合わせられるとともに、外側中ケース部２０と外側下ケース部２２が段差部２０ｂ、２２ａで嵌め合わせられ、そして各段差部２０ａ、２１ａ、２０ｂ、２２ａの水平面にてそれぞれ各防水性両面テープ４０、４１で張り付けされている。従って、各ケース部２０、２１、２２の組み付け状態は安定し、防水性も確保されている。
【００３４】
次に、図１１に示すように、外側上ケースフランジ部２１Ａの水平面に外側上ケース部２１の全周に亘るように第３防水性両面テープ４２を貼り付ける。また、外側下ケースフランジ部２２Ａの水平面に外側下ケース部２２の全周に亘るように第４防水性両面テープ４３を貼り付ける。
【００３５】
次に、図７に示すように、内側上ケースフランジ部３０Ａを第３防水性両面テープ４２により外側上ケースフランジ部２１Ａの水平面に貼り付け固定する。また、内側下ケースフランジ部３１Ａも第４防水性両面テープ４３により外側下ケースフランジ部２２Ａの水平面に貼り付け固定する。内側上ケースフランジ部３０Ａと外側上ケースフランジ部２１Ａを水平面にて第３防水性両面テープ４２により貼り付けるとともに、内側下ケースフランジ部３１Ａと外側下ケースフランジ部２２Ａを水平面にて第４防水性両面テープ４３により貼り付けることにより、外側ケース２と内側ケース３は剛性を持って組み付けられることになる。従って、外側ケース２と内側ケース３の組付状態は安定し、防水性も確保される。
【００３６】
また、内側上ケース部３０の一方の端縁３０ａはリング状のクッション部材４４を介して内側下ケース部３１の一方の端縁３１ａに突き当てて取り付けられている。
クッション部材４４はリング状の緩衝部材をシート状の防水性両面テープで包み込み形成されたものであり、各ケース部３０、３１間の防水性は確保されている。なお、クッション部材４４は弾性率が第３防水性両面テープ４２及び第４防止性両面テープ４３より低く、防水機能を有する材料であればよく、ゴム性リングであっても良い。
【００３７】
クッション部材４４は第３防水性両面テープ４２及び第４防水性両面テープ４３の弾性率よりも低い材料で形成されているので、各ケース２、３に寸法誤差や防水性両面テープの厚みばらつき等が生じていても、その誤差を各フランジ部３０Ａ、３１Ａの取り付け部分ではなく、クッション部材４４の弾性でのみ吸収することができる。従って、各ケース２、３間でグラつきが発生するようなことはなく、各ケース２、３の組み付け精度を確保することができるとともに防水性も確保できる。
【００３８】
各ケース２、３の組み立て時に各ケース２、３の寸法誤差を吸収するために、クッション部材４４が変形し、内側上ケース部３０と内側下ケース部３１の突き合わせ部分に隙間が生じたとしても、その隙間は機器本体１ａの内周に生じることになり、電子機器１の外観デザインに問題はない。また、電子機器１の使用時に、その隙間は人差し指１００によって隠れるので、その隙間は外部に露出することはない。従って、仮に隙間にゴミ等が挟まったとしても外観上問題はない。
【００３９】
このような実施形態の電子機器１によれば、機器本体１ａの外側ケース２内の空間２Ａに電子部品ユニット５０を組み付けるとともに、内側ケース３の各ケース部３０、３１を外側ケース２の軸方向から組み付け、各ケース部３０、３１の端縁３０ａ、３１ａをクッション部材４４を介して付き合わせるだけで、各ケース２、３を簡単に組み立てることができる。そして、各ケース２、３の組み立て時において、各ケース２、３に寸法誤差が発生していたとしても、その寸法誤差をクッション部材４４の変形のみで吸収できるので各ケース２、３の組付け精度が確保される。
【００４０】
本発明は、上述した実施形態に限定されない。すなわち、当業者は、本発明の技術的範囲又はその均等の範囲内において、上述した実施形態の構成に関し、様々な変更、コンビネーション、並びに代替を行ってもよい。
【産業上の利用可能性】
【００４１】
本発明の電子機器は、リング状の機器本体を備えた家庭用電子機器、産業用電子機器、車載用電子機器等に広く適用可能である。
【符号の説明】
【００４２】
１・・・・・・・電子機器
１ａ・・・・・・機器本体
２・・・・・・・外側ケース
２Ａ・・・・・・空間
３・・・・・・・内側ケース
４・・・・・・・装着部
５・・・・・・・開口部
３０・・・・・・内側上ケース部
３０Ａ・・・・・内側上ケースフランジ部
３０ａ・・・・・一端縁
３１・・・・・・内側下ケース部
３１Ａ・・・・・内側下ケースフランジ部
３１ａ・・・・・一端縁
４０・・・・・・第１防水性両面テープ
４１・・・・・・第２防水性両面テープ
４２・・・・・・第３防水性両面テープ
４３・・・・・・第４防水性両面テープ
４４・・・・・・クッション部材
５０・・・・・・電子部品ユニット
【図１】
2019169623.tif 000003
【図２】
2019169623.tif 000004
【図３】
2019169623.tif 000005
【図４】
2019169623.tif 000006
【図５】
2019169623.tif 000007
【図６】
2019169623.tif 000008
【図７】
2019169623.tif 000009
【図８】
2019169623.tif 000010
【図９】
2019169623.tif 000011
【図１０】
2019169623.tif 000012
【図１１】
2019169623.tif 000013